(57)【要約】  本発明の光伝送装置は、入力される光信号を複数の波長帯域に分波する分波器（１０１）と、分波された複数の光信号に対応して光信号を透過もしくは遮断する光遮断器または可変光減衰器で構成される複数の光スイッチ（１１１）〜（１１３）と、複数の光スイッチ（１１１）〜（１１３）から出力される光信号を合波する光カプラ（１２０）と、複数の光スイッチ（１１１）〜（１１３）のそれぞれについて、分波された光信号に対する透過または遮断を設定するための制御部（１３０）と、を有する。
2012132688.tif 000002
【特許請求の範囲】
【請求項１】
入力される光信号を複数の波長帯域に分波する分波器と、
前記分波器で分波された複数の光信号に対応して、分波された光信号を透過もしくは遮断する光遮断器または可変光減衰器で構成される、複数の光スイッチと、
前記複数の光スイッチから出力される光信号を合波する第１の光カプラと、
前記複数の光スイッチのそれぞれについて、前記分波された光信号に対する透過または遮断を設定するための制御部と、
を有する光伝送装置。
【請求項２】
請求項１記載の光伝送装置において、
前記分波器は、
前記入力される光信号のうち、所定の波長帯域の光信号を透過し、該所定の波長帯域以外の波長帯域の光信号を反射する反射型光フィルタである、光伝送装置。
【請求項３】
請求項２記載の光伝送装置において、
前記分波器は、
前記反射型光フィルタが多段に接続された構成を有する、光伝送装置。
【請求項４】
請求項１記載の光伝送装置において、
前記分波器は、
前記入力される光信号を分配する第２の光カプラと、
前記第２の光カプラと前記複数の光スイッチとの間に該複数の光スイッチに対応して設けられ、該第２の光カプラから分配される光信号に対して、相互に異なる波長帯域の光信号を透過する複数の吸収型光フィルタとを有する、光伝送装置。
【請求項５】
請求項１から４のいずれか１項記載の光伝送装置において、
前記複数の波長帯域は帯域幅が均等ではない、光伝送装置。
【発明の詳細な説明】
【技術分野】
【０００１】
本発明は、光通信システムにおける光伝送装置に関する。
【背景技術】
【０００２】
陸上の光通信ネットワークに導入されているＯＡＤＭ（Ｏｐｔｉｃａｌ  Ａｄｄ／Ｄｒｏｐ  Ｍｕｌｔｉｐｌｅｘｉｎｇ）装置が、光海底ケーブルシステムに適用されるようになった。そのため、光海底ケーブルシステムにおいても、ネットワークの多様性に対応することが可能となった。しかし、光海底ケーブルシステムにおいては、ＯＡＤＭ機能は海底に敷設される分岐装置に設けられるため、運用開始後にネットワーク構成を変更する場合、分岐装置を海底から陸に引き上げ、変更予定のネットワーク構成に合わせて光フィルタを交換するなどの作業が必要であった。【０００３】
運用開始後にネットワーク構成を変更可能にするために、陸上の光通信ネットワークでは、現在、再構成可能なＯＡＤＭ（ＲＯＡＤＭ：Ｒｅｃｏｎｆｉｇｕｒａｂｌｅ  ＯＡＤＭ）装置が広く適用されるようになった。ＷＳＳ（Ｗａｖｅｌｅｎｇｔｈ  Ｓｅｌｅｃｔｉｖｅ  Ｓｗｉｔｃｈ）を用いたＲＯＡＤＭ装置が、特開２０１０−０９８５４５号公報に開示されている。ＷＳＳは、入力される光信号を波長単位で分ける「分波」、分波した光信号を選択するための「スイッチング」、および選択された光信号の「合波」の３つの機能を備えた波長選択デバイスである。【０００４】
また、特開２００２−２６２３１９号公報には、上記３つの機能のうち、スイッチングの機能に光マトリクススイッチを用いた光パスクロスコネクト装置が開示されている。これらの文献に開示された技術では、波長単位でネットワーク構成の変更が可能である。
【発明の概要】
【０００５】
ＲＯＡＤＭ装置のスイッチング機能に光マトリクススイッチを使用すると、選択可能な波長の数が多くなるほどスイッチの数が増えるため、波長数に応じて製造コストが高くなってしまうという問題がある。
【０００６】
また、ＷＳＳのような波長選択デバイスは構成が複雑なため、ＲＯＡＤＭ装置に波長選択デバイスを使用すると、製造コストが高くなるという問題がある。さらに、光海底ケーブルシステムでは、２５年の長期にわたって安定して動作可能という信頼性が要求されるが、構成が複雑な波長選択デバイスの海底での使用に対して信頼性が低いという問題がある。
【０００７】
本発明の目的の一つは、製造コストを抑制し、かつ、信頼性を向上させた再構成可能な光伝送装置を提供することである。
【０００８】
本発明の一側面の光伝送装置は、入力される光信号を複数の波長帯域に分波する分波器と、分波器で分波された複数の光信号に対応して、分波された光信号を透過もしくは遮断する光遮断器または可変光減衰器で構成される、複数の光スイッチと、複数の光スイッチから出力される光信号を合波する第１の光カプラと、複数の光スイッチのそれぞれについて、分波された光信号に対する透過または遮断を設定するための制御部と、を有する構成である。
【図面の簡単な説明】
【０００９】
【図１】図１は本実施形態の光海底ケーブルシステムの一構成例を示すブロック図である。
【図２】図２は図１に示した光アド／ドロップ回路の一構成例を示すブロック図である。
【図３】図３は本実施形態のＲＡＯＡＤＭ回路の一構成例を示すブロック図である。
【図４】図４は実施例１のＲＡＯＡＤＭ回路の一構成例を示すブロック図である。
【図５】図５は実施例２のＲＡＯＡＤＭ回路の一構成例を示すブロック図である。
【図６】図６は実施例３のＲＡＯＡＤＭ回路の一構成例を示すブロック図である。
【図７】図７は実施例４のＲＡＯＡＤＭ回路の一構成例を示すブロック図である。
【発明を実施するための形態】
【００１０】
本実施形態の光アド／ドロップ分岐装置を含む通信システムの構成を説明する。図１は本実施形態の光海底ケーブルシステムの一構成例を示すブロック図である。
【００１１】
図１に示すように、光海底ケーブルシステムは、光信号を送受信する陸揚局２〜４と、陸揚局から受信する光信号を伝送する光アド／ドロップ分岐装置１とを有する。光アド／ドロップ分岐装置１は海底に設けられ、陸上に設けられた陸揚局２〜４のそれぞれと伝送路５を含む海底ケーブルを介して接続されている。陸揚局２および陸揚局４は光アド／ドロップ分岐装置１を介して対向しており、「トランク局」と呼ばれている。陸揚局３は、陸揚局２および陸揚局４を結ぶ伝送路５に分岐して設けられ、「ブランチ局」と呼ばれている。伝送路５の途中には、伝送路５中の光ファイバにおける、光信号の損失を補償するために、光信号を増幅して出力する光中継器６が設けられている。
【００１２】
陸揚局２から光アド／ドロップ分岐装置１に送出される光信号、および陸揚局４から光アド／ドロップ分岐装置１に送出される光信号のそれぞれをトランク信号と称する。図１に示すシステムでは、陸揚局２から光アド／ドロップ分岐装置１に伝送されるトランク信号を２つの波長帯域に分割した場合とする。分割した２つの波長帯域のうち、第１の波長帯域の光信号をトランク帯信号７ａと称し、第２の波長帯域の光信号をドロップ帯信号８ａと称する。陸揚局４から光アド／ドロップ分岐装置１に伝送されるトランク信号も、２つの波長帯域に分割している。２つの波長帯域のうち、第１の波長帯域の光信号をトランク帯信号７ｂと称し、第２の波長帯域の光信号をドロップ帯信号８ｂと称する。
【００１３】
陸揚局３から光アド／ドロップ分岐装置１に送出される光信号をブランチ信号と称する。ブランチ信号もトランク信号と同様に複数の波長帯域を含む光信号でもよいが、本実施形態では、説明を簡単にするために、ブランチ信号が第２の波長帯域の光信号のみを含む場合とする。陸揚局３から陸揚局４に伝送されるブランチ信号をアド帯信号９ａと称し、陸揚局３から陸揚局２に伝送されるブランチ信号をアド帯信号９ｂと称する。
【００１４】
図１に示すように、光アド／ドロップ分岐装置１は、光アド／ドロップ回路１０ａ、１０ｂを有する。光アド／ドロップ回路１０ａは、陸揚局２から受信するトランク信号を陸揚局３に送信するとともに、トランク信号から一部を抜き落とし、陸揚局３から受信するブランチ信号を追加して陸揚局４に送信する。図１を参照して詳しく説明すると、光アド／ドロップ回路１０ａは、トランク帯信号７ａおよびドロップ帯信号８ａを含むトランク信号を陸揚局２から受信すると、そのトランク信号を陸揚局３に送信する。また、光アド／ドロップ回路１０ａは、陸揚局２から受信するトランク信号からドロップ帯信号８ａを抜き落とし、陸揚局３から受信するアド帯信号９ａとトランク帯信号７ａとを合波して陸揚局４に送信する。
【００１５】
光アド／ドロップ回路１０ｂは、陸揚局４から受信するトランク信号を陸揚局３に送信するとともに、トランク信号から一部を抜き落とし、陸揚局３から受信するブランチ信号を追加して陸揚局２に送信する。図１を参照して詳しく説明すると、光アド／ドロップ回路１０ｂは、トランク帯信号７ｂおよびドロップ帯信号８ｂを含むトランク信号を陸揚局４から受信すると、そのトランク信号を陸揚局３に送信する。また、光アド／ドロップ回路１０ｂは、陸揚局４から受信するトランク信号からドロップ帯信号８ｂを抜き落とし、陸揚局３から受信するアド帯信号９ｂとトランク帯信号７ｂとを合波して陸揚局２に送信する。
【００１６】
次に、図１に示した光アド／ドロップ回路１０ａ、１０ｂの構成を説明する。図２は光アド／ドロップ回路１０ａの一構成例を示すブロック図である。光アド／ドロップ回路１０ｂの構成は、光アド／ドロップ回路１０ａと同様なため、詳細な説明を省略する。
【００１７】
光アド／ドロップ回路１０ａは、光信号を分配する光カプラ１２と、所定の波長帯域の光信号を透過させるＲＯＡＤＭ回路１５およびＲＯＡＤＭ回路１７と、波長帯域の異なる光信号を合波する光カプラ１４と、２つの入力ポート１１、１３と、２つの出力ポート１６、１８とを有する。
【００１８】
入力ポート１１は、伝送路５を介して陸揚局２と接続され、陸揚局２からトランク信号が入力される。入力ポート１３は、伝送路５を介して陸揚局３と接続され、陸揚局３からブランチ信号が入力される。
【００１９】
光カプラ１２は、陸揚局２から入力ポート１１を介して受信するトランク信号を分岐し、トランク信号を出力ポート１６およびＲＯＡＤＭ回路１５のそれぞれに出力する。光カプラ１４は、ＲＯＡＤＭ回路１５およびＲＯＡＤＭ回路１７のそれぞれから受信する光信号を合波し、合波信号を出力ポート１８を介して陸揚局４に送信する。
【００２０】
ＲＯＡＤＭ回路１５は、光カプラ１２からトランク信号を受信すると、トランク信号のうち所定の波長帯域の光信号を透過させて光カプラ１４に送信する。図１に示した光アド／ドロップ回路１０ａの場合、ＲＯＡＤＭ回路１５は、トランク帯信号７ａを光カプラ１４に送信する。ＲＯＡＤＭ回路１７は、陸揚局３から入力ポート１３を介してブランチ信号を受信すると、ブランチ信号のうち所定の波長帯域の光信号を透過させて光カプラ１４に送信する。図１に示した光アド／ドロップ回路１０ａの場合、ＲＯＡＤＭ回路１７は、アド帯信号９ａを光カプラ１４に送信する。
【００２１】
次に、図２に示したＲＯＡＤＭ回路１５、１７の構成を説明する。ＲＯＡＤＭ回路１５、１７が本実施形態の光伝送装置に相当する。図３はＲＡＯＡＤＭ回路１５の一構成例を示すブロック図である。
【００２２】
ＲＯＡＤＭ回路１５、１７は同様な構成なため、ここでは、ＲＡＯＡＤＭ回路１５の構成を説明する。また、陸揚局２から光アド／ドロップ分岐装置１に伝送されるトランク信号を、３つの波長帯域に分割した場合とする。分割した３つの波長帯域のうち、第１の波長帯域の光信号を第１バンド信号１５１とし、第２の波長帯域の光信号を第２バンド信号１５２とし、第３の波長帯域の光信号を第３バンド信号１５３とする。
【００２３】
ＲＡＯＤＭ回路１５は、入力される光信号を複数の波長帯域に分波する分波器１０１と、入力される光を透過または遮断する光スイッチ１１１〜１１３と、光スイッチ１１１〜１１３の透過または遮断を設定する制御部８１と、入力される光信号を合波する光カプラ１２０とを有する。
【００２４】
分波器１０１は、入力されるトランク信号を、第１バンド信号、第２バンド信号および第３バンド信号に分波する。そして、分波器１０１は、第１バンド信号を光スイッチ１１１に送信し、第２バンド信号を光スイッチ１１２に送信し、第３バンド信号を光スイッチ１１３に送信する。
【００２５】
制御部１３０は、陸揚局２と信号線を介して接続されている。制御部１３０は、光スイッチ１１１〜１１３のそれぞれについて透過または遮断を設定するための制御信号を陸揚局２から受信すると、制御信号にしたがって光スイッチ１１１〜１１３に対して透過または遮断を設定する。制御部１３０の構成の一例として、陸揚局２から受信する制御信号にしたがって光スイッチ１１１〜１１３のそれぞれに対して、オン／オフを設定する論理回路がある。以下では、オンの場合を「透過」とし、オフの場合を「遮断」とする。
【００２６】
光スイッチ１１１〜１１３は、光遮断器または可変光減衰器であり、制御部１３０によるオン／オフの設定にしたがって、入力される光信号を透過または遮断する。光カプラ１２０は、３入力１出力型の合波器であり、光スイッチ１１１〜１１３から受信する光信号を外部に送出する。光カプラ１２０は、光スイッチ１１１〜１１３から、波長帯域の異なる２種以上の光信号を受信する場合、受信する２種以上の光信号を合波して外部に送出する。
【００２７】
なお、本実施形態では、制御部１３０が陸揚局２と信号線で接続されている場合で説明するが、制御部１３０は他の陸揚局３または陸揚局４と接続されていてもよく、２以上の陸揚局と接続されていてもよい。また、制御部１３０および陸揚局２を結ぶ信号線は、光アド／ドロップ分岐装置１への電力供給線と同様に、伝送路５に沿って海底ケーブル内に設けられている。さらに、図３に示す構成では、光信号を３つの波長帯域に分割する場合で説明したが、２つの波長帯域に分割してもよく、この場合、光スイッチが２つ設けられていればよく、光カプラ１２０は２入力１出力型の合波器であればよい。
【００２８】
次に、図３に示したＲＯＡＤＭ回路１５の動作を説明する。ここでは、制御部１３０は、光スイッチ１１１および光スイッチ１１３を「透過」に設定し、光スイッチ１１２を「遮断」に設定する旨の制御信号を、陸揚局２から受信したものとする。制御部１３０は、制御信号にしたがって、光スイッチ１１１および光スイッチ１１３をオンに設定し、光スイッチ１１２をオフに設定する。
【００２９】
図３に示す分波器１０１は、図２に示した光カプラ１２からトランク信号を受信すると、第１バンド信号を光スイッチ１１１に送信し、第２バンド信号を光スイッチ１１２に送信し、第３バンド信号を光スイッチ１１３に送信する。光スイッチ１１１は、分波器１０１から受信する第１バンド信号を透過させて光カプラ１２０に送信する。また、光スイッチ１１３は、分波器１０１から受信する第３バンド信号を透過させて光カプラ１２０に送信する。一方、光スイッチ１１２は、分波器１０１から受信する第２バンド信号を遮断し、第２バンド信号を光カプラ１２０に送信しない。光カプラ１２０は、光スイッチ１１１から受信する第１バンド信号と光スイッチ１１３から受信する第３バンド信号を合波した合波信号を、図２に示した光カプラ１４に送信する。
【００３０】
本実施形態の光伝送装置では、入力される光信号が分波器によって複数の波長帯域に分波され、分波された各波長帯域の光信号が選択型光スイッチによって所望の波長帯域の信号のみが透過され、透過された光信号が光カプラにより合波され、送出される。装置の構成を簡素化して、光信号を波長単位ではなく、波長帯域で分割することで、伝送する光信号を選択可能にしている。その結果、光海底ケーブルシステムにおいて、製造コストを抑制し、かつ、信頼性を向上させることができる。また、本実施形態の光伝送装置では、制御部によって光スイッチの設定を変更可能にすることで、ネットワークの再構成を可能にしている。以下に、本実施形態の光伝送装置の実施例を説明する。
【実施例１】
【００３１】
本実施例は、図３に示した分波器１０１を、多段に接続した複数の光フィルタで構成したものである。図４は本実施例のＲＡＯＡＤＭ回路の一構成例を示すブロック図である。【００３２】
本実施例では、陸揚局２から光アド／ドロップ分岐装置１に伝送されるトランク信号を４つの波長帯域に分割した場合である。分割した４つの波長帯域の光信号のうち、第１の波長帯域の光信号を第１バンド信号７１とし、第２の波長帯域の光信号を第２バンド信号７２とし、第３の波長帯域の光信号を第３バンド信号７３とし、第４の波長帯域の光信号を第４バンド信号とする。【００３３】
図４に示すＲＡＯＤＭ回路１５は、光フィルタ３１〜３３と、光遮断器４１〜４４と、制御部８１と、光カプラ５１〜５３とを有する。光フィルタ３１〜３３は図３に示した分波器１０１に相当する。光カプラ５１〜５３のそれぞれは２入力１出力型の合波器である。【００３４】
光フィルタ３１〜３３は、例えば、誘電体多層膜フィルタ、導波路型分波器、またはＦｉｂｅｒ  Ｂｒａｇｇ  Ｇｒａｔｉｎｇ型分波器である。光フィルタ３１〜３３のそれぞれは、所定の波長帯域の光信号を透過し、他の波長帯域の光信号を反射する反射型光フィルタである。以下では、光フィルタを透過する光信号を透過信号と称し、光フィルタを反射する光信号を反射信号と称する。【００３５】
光フィルタ３２は、光フィルタ３１の透過信号を伝送するための伝送路で、光フィルタ３１と接続されている。光フィルタ３３は、光フィルタ３１の反射信号を伝送するための伝送路で、光フィルタ３１と接続されている。光フィルタ３１は、第１バンド信号７１および第２バンド信号７２を含む波長帯域の光信号を透過するが、第３バンド信号７３および第４バンド信号７４を含む波長帯域の光信号を反射する。光フィルタ３２は、第１バンド信号７１を透過するが、第２バンド信号７２を反射する。光フィルタ３３は、第３バンド信号７３を透過するが、第４バンド信号７４を反射する。【００３６】
光遮断器４１〜４４は図３に示した光スイッチ１１１〜１１３に相当する。光遮断器４１〜４４は、例えば、バルク型光学素子もしくは光ファイバを利用した機械式光スイッチ、または、電気光学効果もしくは電界吸収効果などを利用した電子式光スイッチである。光遮断器４１には伝送路を介して光フィルタ３２の透過信号が入力され、光遮断器４２には伝送路を介して光フィルタ３２の反射信号が入力される。光遮断器４３には伝送路を介して光フィルタ３３の透過信号が入力され、光遮断器４４には伝送路を介して光フィルタ３３の反射信号が入力される。【００３７】
次に、図４に示したＲＡＯＡＤＭ回路１５の動作を説明する。ここでは、制御部１３０は、光遮断器４１、４２、４４を「透過」に設定し、光遮断器４３を「遮断」に設定する旨の制御信号を、陸揚局２から受信したものとする。制御部１３０は、制御信号にしたがって、光遮断器４１、４２、４４をオンに設定し、光遮断器４３をオフに設定する。【００３８】
図２に示した光カプラ１２から出力されたトランク信号が光フィルタ３１に入力されると、トランク信号は光フィルタ３１によって２つの波長帯域の光信号に分割される。一方の波長帯域の光信号は光フィルタ３２によって、第１バンド信号７１と第２バンド信号７２に分割される。他方の波長帯域の光信号は光フィルタ３３によって、第３バンド信号７３と第４バンド信号７４に分割される。【００３９】
第１バンド信号７１は光遮断器４１で透過され、光カプラ５１に入力される。第２バンド信号７２は光遮断器４２で透過され、光カプラ５１に入力される。第３バンド信号７３は光遮断器４３で遮断される。第４バンド信号７４は光遮断器４４で透過され、光カプラ５２に入力される。【００４０】
光カプラ５１に入力された第１バンド信号７１および第２バンド信号７２は、光カプラ５１で合波された後、光カプラ５３に入力される。光カプラ５２に入力された第４バンド信号７４は光カプラ５３に伝送される。第１バンド信号７１、第２バンド信号７２および第４バンド信号７４は、光カプラ５３で合波された後、図２に示した光カプラ１４へ出力される。【００４１】
本実施例では、分波器として、光フィルタを多段に接続した構成を用いることで、簡素な構成で、信頼性のＲＡＯＡＤＭ回路を実現できる。また、光フィルタの段数に応じて、波長帯域の分割数を増やすことが可能となる。
【実施例２】
【００４２】
本実施例は、図３に示した分波器１０１を、光カプラと光フィルタで構成したものである。図５は本実施例のＲＡＯＡＤＭ回路の一構成例を示すブロック図である。【００４３】
本実施例も、実施例１と同様に、陸揚局２から光アド／ドロップ分岐装置１に伝送されるトランク信号を４つの波長帯域に分割した場合とする。【００４４】
図５に示すように、本実施例のＲＡＯＤＭ回路１５は、光カプラ５４〜５６と、光フィルタ３４〜３７と、光遮断器４１〜４４と、光カプラ５１〜５３とを有する。光カプラ５４〜５６および光フィルタ３４〜３７は図３に示した分波器１０１に相当する。光カプラ５４〜５６のそれぞれは１入力２出力型の分配器である。なお、本実施例においても、図３に示した制御部１３０が設けられ、制御部１３０が光遮断器４１〜４４と信号線で接続されているが、図５に示すことを省略している。【００４５】
光カプラ５４の２つの出力端のそれぞれに光カプラ５５、５６のそれぞれの入力端が伝送路を介して接続されている。光カプラ５５の２つの出力端のそれぞれに光フィルタ３４、３５のそれぞれの入力端が伝送路を介して接続されている。光カプラ５６の２つの出力端のそれぞれに光フィルタ３６、３７のそれぞれの入力端が伝送路を介して接続されている。【００４６】
光フィルタ３４〜３７は、例えば、誘電体多層膜フィルタ、導波路型分波器、またはＦｉｂｅｒ  Ｂｒａｇｇ  Ｇｒａｔｉｎｇ型分波器である。光フィルタ３４〜３７のそれぞれは、所定の波長帯域の光信号を透過するが、他の波長帯域の光信号を透過も反射もしない吸収型光フィルタである。以下では、光フィルタを透過する光信号を透過信号と称する。【００４７】
光フィルタ３４は第１バンド信号７１を透過または遮断する。光フィルタ３５は第２バンド信号７２を透過または遮断する。光フィルタ３６は第３バンド信号７３を透過または遮断する。光フィルタ３７は第４バンド信号７４を透過または遮断する。【００４８】
次に、図５に示したＲＡＯＡＤＭ回路１５の動作を説明する。ここでは、制御部１３０は、光遮断器４１、４２、４４を「透過」に設定し、光遮断器４３を「遮断」に設定する旨の制御信号を、陸揚局２から受信したものとする。制御部１３０は、制御信号にしたがって、光遮断器４１、４２、４４をオンに設定し、光遮断器４３をオフに設定する。【００４９】
図２に示した光カプラ１２から出力されたトランク信号が光カプラ５４に入力されると、トランク信号は光カプラ５４によって２つの光カプラ５５、５６に分配される。光カプラ５５に入力されたトランク信号は、光フィルタ３４、３５のそれぞれに分配される。また、光カプラ５６に入力されたトランク信号は、光フィルタ３６、３７のそれぞれに分配される。【００５０】
光フィルタ３４に入力されたトランク信号のうち、第１バンド信号７１のみが光フィルタ３４で透過され、光遮断器４１に入力される。光フィルタ３５に入力されたトランク信号のうち、第２バンド信号７２のみが光フィルタ３５で透過され、光遮断器４２に入力される。光フィルタ３６に入力されたトランク信号のうち、第３バンド信号７３のみが光フィルタ３６で透過され、光遮断器４３に入力される。光フィルタ３７に入力されたトランク信号のうち、第４バンド信号７４のみが光フィルタ３７で透過され、光遮断器４４に入力される。【００５１】
第１バンド信号７１は光遮断器４１で透過され、光カプラ５１に入力される。第２バンド信号７２は光遮断器４２で透過され、光カプラ５１に入力される。第３バンド信号７３は光遮断器４３で遮断される。第４バンド信号７４は光遮断器４４で透過され、光カプラ５２に入力される。なお、光カプラ５１〜５３の動作は実施例１と同様なため、その詳細な説明を省略する。【００５２】
本実施例では、分波器として、複数の光フィルタを多段に接続した構成の代わりに、光カプラと光フィルタを組み合わせた構成を用いることで、本実施例においても、簡素な構成で、信頼性の高いＲＡＯＡＤＭ回路を実現できる。
【実施例３】
【００５３】
実施例２では伝送される光信号の波長帯域が均等になるように光信号を分割したが、本実施例は、波長帯域の幅が均等でない場合である。【００５４】
本実施例では、実施例２のＲＯＡＤＭ回路１５において、光信号を３つの波長帯域に分割した場合とする。３つの波長帯域のうち、第１の波長帯域の光信号を第１バンド信号７５と称し、第２の波長帯域の光信号を第２バンド信号７６と称し、第３の波長帯域の光信号を第３バンド信号７７と称する。そして、第２バンド信号７６と第３バンド信号７７の波長帯域の幅は同じであるが、第１バンド信号７５の波長帯域の幅は第２バンド信号７６の２倍である。【００５５】
図６は本実施例のＲＡＯＡＤＭ回路の一構成例を示すブロック図である。図６に示すように、ＲＡＯＤＭ回路１５は、光フィルタ３１、３３と、光遮断器４１〜４３と、光カプラ５２、５３とを有する。光フィルタ３１、３３は図３に示した分波器１０１に相当する。なお、本実施例においても、図３に示した制御部１３０が設けられ、制御部１３０が光遮断器４１〜４３と信号線で接続されているが、図６に示すことを省略している。【００５６】
光遮断器４１〜４３は、実施例１と同様に、制御部１３０によるオン／オフの設定にしたがって、入力される光信号を透過または遮断する。光遮断器４１は、第１バンド信号７５を透過または遮断する。光遮断器４２は、第２バンド信号７６を透過または遮断する。光遮断器４３は、第３バンド信号７７を透過または遮断する。【００５７】
なお、本実施例では、光信号の波長帯域の分割数が３つであること、第１バンド信号７５の波長帯域の幅が他のバンド信号よりも大きいことを除いて、実施例１と同様なため、ＲＡＯＡＤＭ回路１５の動作についての詳細な説明を省略する。【００５８】
本実施例では、伝送される光信号に波長帯域の幅が異なる光信号が含まれていても、簡素な構成で、信頼性の高いＲＡＯＡＤＭ回路を実現できる。
【実施例４】
【００５９】
本実施例は、実施例３のＲＡＯＡＤＭ回路１５において、光遮断器の代わりに可変光減衰器を用いたものである。【００６０】
図７は本実施例のＲＡＯＡＤＭ回路の一構成例を示すブロック図である。図７に示すように、ＲＡＯＤＭ回路１５は、光フィルタ３１、３３と、可変光減衰器６１〜６３と、光カプラ５２、５３とを有する。光フィルタ３１、３３は図３に示した分波器１０１に相当する。なお、本実施例においても、図３に示した制御部１３０が設けられ、制御部１３０が可変光減衰器６１〜６３と信号線で接続されているが、図７に示すことを省略している。【００６１】
可変光減衰器６１〜６３は、制御部１３０によるオン／オフの設定にしたがって、入力される光信号を透過または減衰させる。可変光減衰器６１は、第１バンド信号７５を透過または減衰させる。可変光減衰器６２は、第２バンド信号７６を透過または減衰させる。可変光減衰器６３は、第３バンド信号７７を透過または減衰させる。【００６２】
なお、本実施例では、光信号の波長帯域の分割数が３つであること、第１バンド信号７５の波長帯域の幅が他のバンド信号よりも大きいこと、ＲＡＯＡＤＭ回路１５の光スイッチが可変光減衰器であることを除いて、実施例１と同様なため、ＲＡＯＡＤＭ回路１５の動作についての詳細な説明を省略する。また、本実施例は、実施例２に示した構成の一部を変更した例に相当するが、実施例２に適用する場合に限らず、上記実施形態および実施例のうち、いずれに適用してもよい。【００６３】
本実施例では、光スイッチとして、光遮断器の代わりに、光遮断機能を備えた可変光減衰器を用いることで、簡素な構成で、信頼性の高いＲＡＯＡＤＭ回路を実現できる。また、各可変光減衰器の減衰率を調節可能にすれば、各波長帯域のレベル差を補正することができる。【００６４】
本発明の効果の一例として、ネットワーク構成の変更可能な通信システムにおいて、製造コストを抑制し、信頼性を向上させることができる。【００６５】
以上、実施形態を参照して本願発明を説明したが、本願発明は上記実施形態に限定されるものではない。本願発明の構成や詳細には、本願発明のスコープ内で当業者が理解し得る様々な変更をすることができる。【００６６】
なお、この出願は、２０１１年３月２５日に出願された日本出願の特願２０１１−０６７６８７の内容が全て取り込まれており、この日本出願を基礎として優先権を主張するものである。
【符号の説明】
【００６７】
１    光アド／ドロップ分岐装置
２〜４    陸揚局
１０ａ、１０ｂ    光アド／ドロップ回路
１５、１７    ＲＯＡＤＭ回路
３１〜３３    光フィルタ
４１〜４７    光遮断器
５１〜５３    光カプラ
６１〜６３    可変光減衰器
１０１    分波器
１１１〜１１３    光スイッチ
１２０    光カプラ
１３０    制御部
【図１】
2012132688.tif 000003
【図２】
2012132688.tif 000004
【図３】
2012132688.tif 000005
【図４】
2012132688.tif 000006
【図５】
2012132688.tif 000007
【図６】
2012132688.tif 000008
【図７】
2012132688.tif 000009
【国際調査報告】
2012132688.tif 000010
2012132688.tif 000011